(57)【要約】【課題】  被撮影者の特徴部分を含む撮影全体画像を流通させた場合でも、当該被撮影者の撮影画像のセキュリィテイ性を向上できるようにする。【解決手段】  被撮影者を撮影して所定の撮影画像を取得する撮像素子１２と、この撮像素子１２によって取得された被撮影者の顔画像を解像度に区分して記憶する内蔵メモリ２３と、この内蔵メモリ２３の入出力を制御するシステムコントローラー２５とを備え、システムコントローラー２５は、撮像素子１２による顔画像から被撮影者の特徴画像を抽出し、ここで抽出された特徴画像を高解像度で登録し、当該被撮影者の顔全体縮小画像を特徴画像の解像度よりも低い解像度で登録するように内蔵メモリ２３を制御するものである。撮影画像利用時に、高解像度の特徴画像と、低解像度で登録された被撮影者の顔全体縮小画像とを流通経路に置くことができる。【選択図】      図３
2005071059.tif 000002
【特許請求の範囲】
【請求項１】
被撮影者の撮影画像を登録するシステムであって、
前記被撮影者を撮影して所定の撮影画像を取得する撮影手段と、
前記撮影手段によって取得された前記被撮影者の撮影画像を解像度に区分して記憶する記憶手段と、
前記記憶手段の入出力を制御する制御手段とを備え、
前記制御手段は、
前記撮影手段による撮影画像から被撮影者の特徴部分の画像を抽出し、
抽出された前記被撮影者の特徴部分の画像を第１の解像度で登録し、当該被撮影者の特徴部分を含む撮影全体画像を前記第１の解像度よりも低い第２の解像度で登録するように前記記憶手段を制御することを特徴とする撮影画像登録システム。
【請求項２】
前記被撮影者の特徴部分を含む撮影全体画像を第１の解像度よりも低い第２の解像度で表示する表示手段を備えることを特徴とする請求項１に記載の撮影画像登録システム。
【請求項３】
前記表示手段に表示される撮影全体画像の表示部分の画像数が、前記第１の解像度の撮影画像の画素数よりも少ないことを特徴とする請求項２に記載の撮影画像登録システム。
【請求項４】
前記記憶手段には、
前記被撮影者の特徴部分の第１の解像度の画像と、当該被撮影者の特徴部分を含む第２の解像度の撮影全体画像とが関連付けて記憶されることを特徴とする請求項１に記載の撮影画像登録システム。
【請求項５】
前記撮影画像の圧縮率を設定する設定手段と、
前記設定手段によって設定された圧縮率に基づいてデータを圧縮する圧縮手段とを備えることを特徴とする請求項１に記載の撮影画像登録システム。
【請求項６】
前記設定手段によって設定される圧縮率が撮影画像毎に異なることを特徴とする請求項５に記載の撮影画像登録システム。
【請求項７】
前記圧縮手段は、
前記第１の解像度の撮影画像の画素数よりも少ない画像数の前記撮影全体画像を圧縮することを特徴とする請求項５に記載の撮影画像登録システム。
【請求項８】
前記第１の解像度の画像よりも低い解像度の画像を集めて１枚の撮影画像を再構成する画像処理手段を備えることを特徴とする請求項５に記載の撮影画像登録システム。
【請求項９】
前記被撮影者の特徴部分の第１の解像度の画像を暗号化する情報処理装置と、
前記情報処理装置により暗号化された前記被撮影者の特徴部分の第１の解像度の画像と、当該被撮影者の特徴部分を含む第２の解像度の撮影全体画像とを関連付けて通信する通信手段とを備えることを特徴とする請求項１に記載の撮影画像登録システム。
【請求項１０】
前記被撮影者の特徴部分の第１の解像度の画像を暗号化する情報処理装置と、
前記情報処理装置により暗号化された前記被撮影者の特徴部分の第１の解像度の画像と、当該被撮影者の特徴部分を含む第２の解像度の撮影全体画像とを関連付けて記憶する記憶手段とを備えることを特徴とする請求項１に記載の撮影画像登録システム。
【請求項１１】
前記撮影画像を利用するための個人識別情報を入力するように操作される操作手段を備えることを特徴とする請求項１に記載の撮影画像登録システム。
【請求項１２】
前記被撮影者の撮影画像が顔画像であって、
当該被撮影者の特徴部分である目、耳、鼻又は／及び口に係る画像を切出す画像切出し手段を備えることを特徴とする請求項１に記載の撮影画像登録システム。
【請求項１３】
前記画像切出し手段によって切出された被撮影者の特徴部分である目、耳、鼻又は／及び口に係る画像を表示する表示手段を備えることを特徴とする請求項１２に記載の撮影画像登録システム。
【請求項１４】
前記表示手段によって表示された被撮影者の特徴部分である目、耳、鼻又は／及び口に係る画像を選択する選択手段を備えることを特徴とする請求項１３に記載の撮影画像登録システム。
【請求項１５】
被撮影者の撮影画像を登録する方法であって、
前記被撮影者を撮影して所定の撮影画像を取得し、
取得された前記撮影画像から被撮影者の特徴部分の画像を抽出し、
抽出された前記被撮影者の特徴部分の画像を第１の解像度で登録し、
前記被撮影者の特徴部分を含む撮影全体画像を前記第１の解像度よりも低い第２の解像度で登録することを特徴とする撮影画像登録方法。
【請求項１６】
前記被撮影者の特徴部分を含む撮影全体画像を第１の解像度よりも低い第２の解像度で表示することを特徴とする請求項１５に記載の撮影画像登録方法。
【請求項１７】
前記撮影全体画像の表示部分の画像数が、前記第１の解像度の撮影画像の画素数よりも少ないことを特徴とする請求項１６に記載の撮影画像登録方法。
【請求項１８】
前記被撮影者の特徴部分の第１の解像度の画像と、当該被撮影者の特徴部分を含む第２の解像度の撮影全体画像とを関連付けて保存することを特徴とする請求項１５に記載の撮影画像登録方法。
【請求項１９】
前記撮影画像の圧縮率を設定し、
設定された前記圧縮率に基づいてデータを圧縮することを特徴とする請求項１５に記載の撮影画像登録方法。
【請求項２０】
前記圧縮率が撮影画像毎に異なることを特徴とする請求項１９に記載の撮影画像登録方法。
【請求項２１】
前記第１の解像度の撮影画像の画素数よりも少ない画像数の前記撮影全体画像を圧縮することを特徴とする請求項１５に記載の撮影画像登録方法。
【請求項２２】
前記第１の解像度の画像よりも低い解像度の画像を集めて１枚の撮影画像を再構成することを特徴とする請求項１５に記載の撮影画像登録方法。
【請求項２３】
前記被撮影者の特徴部分の第１の解像度の画像を暗号化し、
暗号化された前記被撮影者の特徴部分の第１の解像度の画像と、当該被撮影者の特徴部分を含む第２の解像度の撮影全体画像とを関連付けて通信することを特徴とする請求項１５に記載の撮影画像登録方法。
【請求項２４】
前記被撮影者の特徴部分の第１の解像度の画像を暗号化し、
暗号化された前記被撮影者の特徴部分の第１の解像度の画像と、当該被撮影者の特徴部分を含む第２の解像度の撮影全体画像とを関連付けて保存することを特徴とする請求項１５に記載の撮影画像登録方法。
【請求項２５】
前記撮影画像を利用するための個人識別情報を入力することを特徴とする請求項１５に記載の撮影画像登録方法。
【請求項２６】
前記被撮影者の撮影画像が顔画像であって、
前記撮影画像から当該被撮影者の特徴部分である目、耳、鼻又は／及び口に係る画像を切出すことを特徴とする請求項１５に記載の撮影画像登録方法。
【請求項２７】
前記被撮影者の特徴部分である目、耳、鼻又は／及び口に係る画像を表示することを特徴とする請求項２６に記載の撮影画像登録方法。
【請求項２８】
前記被撮影者の特徴部分である目、耳、鼻又は／及び口に係る画像を選択することを特徴とする請求項２６に記載の撮影画像登録方法。
【発明の詳細な説明】
【技術分野】
【０００１】
この発明は、パスポートや、身分証明書、図書館利用カード、各種学校における学生証等に形成する顔写真を電子データで提供する顔画像撮影サービスシステムに適用して好適な撮影画像登録システム及び撮影画像登録方法に関するものである。
【背景技術】
【０００２】
近年、顔写真の入ったキャッシュカード、従業者証、社員証、会員証、学生証、外国人登録証、パスポート、図書館利用カード及び各種運転免許証などのＩＤカード発行システムが使用される場合が多くなってきた。例えば、従業者数の多い企業では従業者証発行システムが採用される場合が多い。このシステムでは、本社にホストコンピュータが設けられ、そのコンピュータには支社に配属された従業者の個人情報が登録されている。
【０００３】
ここで、個人情報とは氏名、住所、生年月日、従業者証の交付年月日及びその有効期限等をいう。個人情報は文字画像としてカード部材に形成されるものである。支社で例えば従業者証の満期を迎えた者が、その更新を要求する場合に、その者が本社又は支社において、本社のコンピュータにその従業者の個人情報が照会され、本社で照会の結果、その従業者が本社に登録された者であることが確認されると、本社で従業者証を発行するようになされる。更新対象者が多くなると、従業者証発行処理も流れ作業化される場合が多い。このような従業者証発行処理において被撮影者が多くなると、画像撮影システムを分離してＩＤカードを発行する方法が採られるようになる。
【０００４】
この種の画像撮影システムに関連して、特許文献１には、プリントシステム、撮像装置、プリント受け処理装置、プリントサービス方法及び、プリント受付処理方法が開示されている。このプリントシステムによれば、撮像装置、プリント管理装置、プリント受付け処理装置及び、プリント処理装置がネットワークに接続され、プリント受付け処理装置が撮像装置から受信した画像データ単位に識別情報を発行すると共に、撮像装置に識別情報を記憶させ、受信した画像データと識別情報とを関連付けることによって、プリント管理装置がプリント処理装置における印刷を管理するようにしたものである。このような構成を採ると、デジタルカメラで撮像された画像の注文をより簡単に行うことが可能なプリントサービスシステムを構築できるというものである。
【０００５】
なお、特許文献２には被撮影者の顔画像からその特徴点を抽出する人物認証装置及び人物認証方法が開示されている。この人物認証装置によれば、被撮影者の顔の各パーツである目、耳、鼻及び口等を抽出し、これらの顔のパーツ画像を符号化して顔画像判定に適したライブラリを作成するようになされる。このライブラリを使用すると、輝度変化などに影響されることなく、人物認証を高精度にできるというものである。
【０００６】
特許文献３にはＭＰＥＧタイプのブロック方式符号化方法が開示されている。このブロック方式符号化方法によれば、画像を構成する注目ゾーンと背景ゾーンとにそれぞれ異なる解像度を与え、この２つのゾーンに広がる混合ブロックにおいて、当該混合ブロックの各画素に対応したゾーンに関して、指定されたゾーンの解像度が各画素に割り当てられる。このように構成すると、注目ゾーンと背景ゾーンとの境界に解像度の変則性を生じることなく、画質劣化がない画像を生成できるというものである。
【０００７】
【特許文献１】特開２００２−１９１００１号公報
【特許文献２】特開平９−２１５５３４号公報
【特許文献３】特開２００２−２９０９７６４号公報
【発明の開示】
【発明が解決しようとする課題】
【０００８】
しかしながら、従来方式の画像撮影システムによれば、以下のような問題がある。
ｉ．従来方式のＩＤカード発行システムから画像撮影システムを分離して、被撮影者の顔画像を集中的に登録し、登録後の顔画像データをインターネット等を通じて取得し、この顔画像データを利用したカード作成システム等を構築しようとした場合に、特許文献１の技術思想をそのまま取り入れただけでは、被撮影者の高解像度の顔全体画像が無防備のまま既存の情報処理基盤に流通してしまうおそれがある。
【０００９】
ii．従って、被撮影者の高解像度の顔全体画像を悪用したＩＤカード等が無許可で発行されてしまうことが懸念される。因みに、被撮影者の顔全体画像を低解像度で流通させた場合は、本人認証時の確認精度が低下してしまう。
【００１０】
iii．また、特許文献２の人物認証方法及び、特許文献３のブロック方式符号化方法を組み合わせただけでは、被撮影者の特徴部分を含む撮影全体画像を圧縮することができても、当該被撮影者の撮影画像のセキュリィテイ性を向上できるとは限らない。
【００１１】
そこで、この発明は上述した課題を解決したものであって、被撮影者の特徴部分を含む撮影全体画像を流通させた場合でも、当該被撮影者の撮影画像のセキュリィテイ性を向上できるようにした撮影画像登録システム及び撮影画像登録方法を提供することを目的とする。
【課題を解決するための手段】
【００１２】
上記課題を解決するために、本発明に係る撮影画像登録システムは、被撮影者の撮影画像を登録するシステムであって、被撮影者を撮影して所定の撮影画像を取得する撮影手段と、この撮影手段によって取得された被撮影者の撮影画像を解像度に区分して記憶する記憶手段と、この記憶手段の入出力を制御する制御手段とを備え、制御手段は、撮影手段による撮影画像から被撮影者の特徴部分の画像を抽出し、ここで抽出された被撮影者の特徴部分の画像を第１の解像度で登録し、当該被撮影者の特徴部分を含む撮影全体画像を第１の解像度よりも低い第２の解像度で登録するように記憶手段を制御することを特徴とするものである。
【００１３】
本発明に係る撮影画像登録システムによれば、被撮影者の撮影画像を登録する場合に、撮影手段は被撮影者を撮影して所定の撮影画像を取得するように操作される。記憶手段には、撮影手段によって取得された被撮影者の撮影画像を解像度に区分して記憶するようになされる。制御手段は、記憶手段の入出力を制御する。これを前提にして、制御手段は、撮影手段による撮影画像から被撮影者の特徴部分の画像を抽出し、ここで抽出された被撮影者の特徴部分の画像を第１の解像度で登録し、当該被撮影者の特徴部分を含む撮影全体画像を第１の解像度よりも低い第２の解像度で登録するように記憶手段を制御する。
【００１４】
従って、撮影画像利用時に、第１の解像度の被撮影者の特徴部分の画像と、第１の解像度よりも低い第２の解像度で登録された被撮影者の特徴部分を含む撮影全体画像とを流通経路に置くことができ、第１の解像度で登録された被撮影者の特徴部分の画像を被撮影者本人確認時の比較対象基準とすることができる。これにより、第１の解像度の被撮影者の特徴部分を含む撮影全体画像をそのまま流通経路に置くことがないので、被撮影者の撮影画像のセキュリィテイ性を向上させることができる。
【００１５】
本発明に係る撮影画像登録方法は、被撮影者の撮影画像を登録する方法であって、被撮影者を撮影して所定の撮影画像を取得し、ここで取得された撮影画像から被撮影者の特徴部分の画像を抽出し、ここで抽出された被撮影者の特徴部分の画像を第１の解像度で登録し、被撮影者の特徴部分を含む撮影全体画像を第１の解像度よりも低い第２の解像度で登録することを特徴とするものである。
【００１６】
本発明に係る撮影画像登録方法によれば、被撮影者の撮影画像を登録する場合に、撮影画像利用時に、第１の解像度の被撮影者の特徴部分の画像と、第１の解像度よりも低い第２の解像度で登録された被撮影者の特徴部分を含む撮影全体画像とを流通経路に置くことができ、第１の解像度で登録された被撮影者の特徴部分の画像を被撮影者本人確認時の比較対象の基準とすることができる。
【発明の効果】
【００１７】
本発明に係る撮影画像登録システム及び撮影画像登録方法によれば、被撮影者の撮影画像を登録制御する制御手段を備え、制御手段は、被撮影者を撮影して取得した所定の撮影画像から当該被撮影者の特徴部分の画像を抽出し、ここで抽出された被撮影者の特徴部分の画像を第１の解像度で登録し、この被撮影者の特徴部分を含む撮影全体画像を第１の解像度よりも低い第２の解像度で登録するようになされる。
【００１８】
この構成によって、撮影画像利用時に、第１の解像度の被撮影者の特徴部分の画像と、第１の解像度よりも低い第２の解像度で登録された被撮影者の特徴部分を含む撮影全体画像とを流通経路に置くことができ、第１の解像度で登録された被撮影者の特徴部分の画像を被撮影者本人確認時の比較対象の基準とすることができる。従って、第１の解像度の被撮影者の特徴部分を含む撮影全体画像をそのまま流通経路に置くことがないので、被撮影者の撮影画像のセキュリィテイ性を向上させることができる。
【発明を実施するための最良の形態】
【００１９】
以下、図面を参照しながら、この発明の実施形態に係る撮影画像登録システム及び撮影画像登録方法について説明をする。
図１は、本発明に係る実施形態としての撮影画像登録システム１００の構成例を示す概念図である。
この実施形態では、被撮影者の撮影画像を登録制御する制御手段を備え、被撮影者を撮影して取得した所定の撮影画像から当該被撮影者の特徴部分の画像を抽出し、ここで抽出された被撮影者の特徴部分の画像を第１の解像度で登録し、この被撮影者の特徴部分を含む撮影全体画像を第１の解像度よりも低い第２の解像度で登録するようにして、撮影画像利用時に、第１の解像度の被撮影者の特徴部分の画像と、第１の解像度よりも低い第２の解像度で登録された被撮影者の特徴部分を含む撮影全体画像とを流通できるようにすると共に、第１の解像度で登録された被撮影者の特徴部分の画像を被撮影者本人確認時の比較対象基準に使用できるようにしたものである。
【００２０】
図１に示す撮影画像登録システム１００は、顔撮影前又は撮影直後に発行される識別情報に基づいて被撮影者の撮影画像を登録するシステムである。このシステム１００は、パスポートや、身分証明書、図書館利用カード、各種学校における学生証等に形成する顔写真を電子データで提供する顔画像撮影サービスシステムに適用して好適である。ここに識別情報とは、撮影後の各々の被撮影者５の画像情報を識別するための情報をいう。この識別情報には、被撮影者５を特定するための本人識別情報（以下パスワードＰＷという）及び／又は被撮影者５の撮影画像を特定するための画像ＩＤ情報（番号）が含まれる。
【００２１】
撮影画像登録システム１００は、顔画像撮影システム２０及び画像情報登録装置３０を備えている。被撮影者側には通信機能付き情報処理装置（以下単にパソコン４０という）が準備されることが好ましい。パソコン４０は、顔画像情報（以下顔画像データＤfaという）を顔画像登録管理業者に登録した後、例えば、ネットワーク試験業者のサーバー１へ個人情報Ｄ１を送信する際に使用するためである。情報処理装置にはデスクトップ型又はノード型のパーソナルコンピュータが使用される。
【００２２】
パソコン４０には、例えば、図示しない通信モデム内蔵の制御装置の他に操作手段の一例となるマウス４１、キーボード４２や、表示手段の一例となるモニタ４３が備えられる。マウス４１、キーボード４２は、自分の顔画像を利用するための個人情報Ｄ１を入力するように操作される。モニタ４３には液晶ディスプレイや、ＣＲＴ管等が使用される。
【００２３】
画像情報登録装置３０は顔画像登録管理業者に配置される。顔画像撮影システム２０は顔画像登録管理業者と業務提携された写真店や、フォトカプセル（写真撮影ボックス）等に設けられる。顔画像撮影システム２０には、デジタル方式のカメラ２１、バーコードリーダー１４及び通信機能付き情報処理装置（以下単にパソコン８０という）が備えられる。
【００２４】
カメラ２１は撮影手段の一例であり、被撮影者５を撮影して顔画像データＤfaを取得するように操作される。カメラ２１には撮像機能の他に、画像表示部（以下モニタともいう）２２及び操作部２４が備えられ、被撮影者５の顔画像を表示できるようになされる（図３参照）。この例で、カメラ２１にはバーコードリーダー１４が接続され、予め被撮影者５に配布された撮影受付カード１０からバーコードを読み取るように操作される。カメラ２１は、バーコードリーダー１４から出力されるコード読取信号Ｓｂを解析して画像ＩＤ番号を検出する。また、カメラ２１は被撮影者５の顔画像データＤfaと画像ＩＤ番号とを関連付けて結合処理するようになされる。
【００２５】
この例で、顔画像撮影システム２０にはパソコン８０が備えられ、第１の解像度（以下高解像度という）の顔部位構成画像を暗号化するようになされる。顔部位構成画像の暗号化は、周知の技術によって行われる。ここで顔部位構成画像とは被撮影者５の全体顔画像から、その顔の特徴部分となる左右の目、耳、中央の鼻及び口の部分を抽出して拡大した画像をいう。被撮影者５の顔部位構成画像が例えば、１０００画素×１０００画素というように高解像度で取り扱われるのに対して、顔全体縮小画像は第２の解像度（以下低解像度という）、例えば、２００画素×２００画素程度に圧縮して取り扱われる。
【００２６】
パソコン８０は、図示しない通信モデム内蔵の制御装置の他にマウス８１、キーボード８２及びモニタ８３を備えている。モニタ８３には液晶ディスプレイや、ＣＲＴ管等が使用される。パソコン８０は上述のカメラ２１に接続されると共に、図示しない通信モデムを通じて通信手段２に接続される。パソコン８０の通信モデムは、画像情報登録装置３０と通信処理する際に使用される。通信モデムにはＡＤＳＬ等の高速通信モデムが使用される。この例でパソコン８０により暗号化された被撮影者５の特徴部分の高解像度の顔部位構成画像と、当該被撮影者５の特徴部分を含む低解像度の顔全体縮小画像（撮影画像）とは関連付けられ、通信手段２を通じて画像情報登録装置３０へ送信される。
【００２７】
パソコン８０には、通信手段２を通じて画像情報登録装置３０が接続され、顔画像撮影システム２０で情報結合処理した被撮影者５の画像ＩＤ番号及び顔画像データＤfaを通信手段２を通じて画像情報登録装置３０に登録するようになされる。通信手段２にはインターネットや公衆電話回線が使用される。通信手段２には会員制業者のサーバー１が接続される。サーバー１は、例えば、撮影画像登録システム１００を応用したネットワーク試験受験システム等を構成するようになる。
【００２８】
また、パソコン８０には、図示しないＣＤ−ＲＯＭドライバや、ＤＶＤドライバ等が含まれる。これらのドライバに光磁気ディスク（ＭＯ）１８を装着して被撮影者５の画像ＩＤ番号及び顔画像データＤfaを記録するようになされる。ＭＯ１８は画像情報登録装置３０の設置場所に搬送される。顔画像登録管理業者において、ＭＯ１８から被撮影者５の画像ＩＤ番号及び顔画像データＤfaが読み出され、顔画像登録するように処理される。
【００２９】
インターネット等の通信手段２に接続される画像情報登録装置３０は、顔画像撮影システム２０によって情報結合処理された被撮影者５の画像ＩＤ番号＋顔画像データＤfaをパスワードＰＷと共に登録するものである。画像情報登録装置３０は、例えば、情報管理装置３１と顔画像サーバー３２とを備える。情報管理装置３１にはデスクトップ型又はノード型のパソコンが使用される。情報管理装置３１は画像ＩＤ番号やパスワードＰＷ等に関して発番処理をするようになされる。情報管理装置３１は、例えば、予め割り当てられた画像ＩＤ番号やパスワードＰＷ等を発番処理する。
【００３０】
顔画像サーバー３２は、顔画像撮影システム２０から登録される被撮影者５の顔画像データＤfa及び情報管理装置３１によって発番処理される画像ＩＤ番号やパスワードＰＷ等を記憶するようになされる。例えば、顔画像サーバー３２には、パソコン８０により暗号化された被撮影者５の特徴部分の高解像度の顔部位構成画像と、当該被撮影者５の特徴部分を含む低解像度の顔全体縮小画像とを関連付けて記憶するようになされる。
【００３１】
顔画像サーバー３２は記憶機能の他に情報処理制御機能を有している。この例で画像情報登録装置３０は、画像ＩＤ番号やパスワードＰＷ等を予め作成すると共に、当該画像ＩＤ番号やパスワードＰＷ等を被撮影者５の各々に通知するように操作される。もちろん、これに限られることはなく、パスワードＰＷは撮影時に被撮影者からの提示により設定するようにしてもよい。
【００３２】
画像情報登録装置３０には、プリンタ３３が備えられ、情報管理装置３１により発番処理された画像ＩＤ番号やパスワードＰＷ等に関して、例えば、団体撮影用の撮影受付カード１０を所定の厚みの用紙に印刷し、これを出力して、この撮影受付カード１０を被撮影者５の各々に配布するようになされる。
【００３３】
図２は撮影画像登録システムを応用したネット試験受験システム１０１における処理例を示す構成図である。
図２に示すネット試験受験システム１０１は、撮影画像登録システムの一例であり、被撮影者５の登録済みの画像ＩＤ番号、パスワードＰＷ及び顔画像データＤfaに基づいて、当該システム１０１に参加可能な受験カード９０を作成するシステムである。このシステム１０１は、インターネット等の通信手段２を通じて各種教育を提供するｅ−ラーニングに適用して極めて好適である。
【００３４】
図２において、ネット試験受験システム１０１に参加して受験を希望する受験者５’は、予め顔画像撮影システム２０に出向き、自分の顔を撮影してもらい、画像ＩＤ番号＋顔画像データＤfaを顔画像登録管理業者に登録するようになされる。顔画像撮影システム２０は、被撮影者５の顔撮影に関して、個々人の撮影を対象として写真店撮影や、フォトカプセル撮影、学校等を対象とした団体撮影を実行可能となされている。
【００３５】
顔画像撮影システム２０には、例えば、撮影者が待機され、図３に示すようなカメラ２１等の機器が備えられ、被撮影者である受験者５’を撮影して顔画像データＤfaを取得するようになされる。顔画像データＤfaには画像ＩＤ番号が付加される。その後、ステップ＃１で画像ＩＤ番号＋顔画像データＤfaは顔画像撮影システム２０から顔画像登録管理業者の顔画像サーバー３２へ登録される。
【００３６】
顔撮影を終了した受験者５’は、その後、ステップ＃２で、例えば、自宅等のパソコンからネット試験受験センター等が有する会員制業者サーバー１に個人情報Ｄ１を通知（入力）するようになされる。この個人情報Ｄ１には、氏名、住所、生年月日が含まれる。個人情報Ｄ１は会員制業者サーバー１に登録され、文字画像として受験カード９０等に形成されるものである。
【００３７】
そして、ネット試験受験センター等は、ステップ＃３でその会員制業者サーバー１から顔画像登録管理業者の顔画像サーバー３２へ個人情報Ｄ１を転送し、受験カード９０の作成を発注するようになされる。顔画像登録管理業者では、画像ＩＤ番号に基づいて顔画像サーバー３２から当該受験者５’の顔画像データＤfaを読み出す。顔画像データＤfaは、当該受験者５’の個人情報Ｄ１と結合され、ステップ＃４でカード作成システム６へデータ転送される。
【００３８】
カード作成システム６では当該受験者５’の顔画像データＤfaに基づいて顔画像を受験カード９０に形成すると共に、個人情報Ｄ１に基づいて受験カード９０に氏名、住所、生年月日を印刷（作成）する。その後、ステップ＃５で受験カード９０が受験者５’に製品発送される。これにより、受験者５’はネット試験受験システム１０１における受験会場に受験カード９０を持参し、ネット試験を受験できるようになる。
【００３９】
図３はカメラ２１の内部構成例を示すブロック図である。図３に示すカメラ２１は、撮影手段の一例であり、被撮影者５を撮影してデジタルの顔画像データＤfaを出力（取得）するようになされる。例えば、フォトカプセルの場合、被撮影者５はカメラ２１の前にセットされた椅子に着席して顔写真を撮影するようになされる。このカメラ２１はデジタルカメラを構成し、画像ＩＤ番号＋顔画像データＤfaを顔画像サーバー３２にアップロード（登録）するようになされる。
【００４０】
カメラ２１はレンズ１１、システムコントローラー２５及び表示制御部２６を有しており、このシステムコントローラー２５には、撮像素子１２、画像処理部１３、バッファメモリ１５、圧縮／伸長部１６、画像表示部２２、内蔵メモリ２３、操作部２４、周辺機器インターフェース２７及び外付けＰＣインターフェース２８が接続される。
【００４１】
図３に示すレンズ１１は被撮影者５の顔映像を撮像素子１２上に結像する。撮像素子１２はレンズ１１によって結像された被撮影者５の顔映像を撮像し、アナログの顔撮像信号Ｓinを画像処理部１３に出力する。
【００４２】
画像処理部１３は撮像素子１２に接続され、顔撮像信号Ｓinをアナログ・デジタル変換（Ａ／Ｄ変換）をしてデジタルの顔画像データＤfaを出力する。画像処理部１３は上述したＡ／Ｄ変換処理の他に被撮影者５の顔画像データＤfaと、制御手段を構成するシステムコントローラー２５からの画像ＩＤ番号とを関連付けて結合処理するようになされる。この結合処理後の顔画像データＤfa＋画像ＩＤ番号はバッファメモリ１５に一時記憶される。
【００４３】
また、画像処理部１３は画像切出し手段を構成し、被撮影者５の全体顔画像から、目、耳、鼻又は／及び口に係る顔部位構成画像を切出すようになされる。目、耳、鼻及び口等は当該被撮影者５を特定する（認証する）ための特徴部分である。更に、画像処理部１３は、高解像度の顔部位構成画像よりも低い解像度の顔部位構成画像を集めて１枚の全体顔画像を再構成するようになされる。このようにすると、高解像度の顔部位構成画像を使用せずに、これよりも低い解像度の顔部位構成画像から１枚の全体顔画像を再現することができる。
【００４４】
システムコントローラー２５にはバーコードリーダー１４が接続され、被撮影者５の撮影受付カード１０からバーコードを読み取るように操作される。この読み取りは画像ＩＤ番号を得るためである。なお、撮影受付カード１０は予め被撮影者５に配布される。撮影受付カード１０には、撮影前に画像ＩＤ番号をバーコードにして印刷されている。システムコントローラー２５は、バーコードリーダー１４から出力されるコード読取信号Ｓｂを復号化して画像ＩＤ番号を検出（取得）する。
【００４５】
システムコントローラー２５には更に操作部２４が接続され、顔画像データＤfaを特定するための画像ＩＤ番号や、被撮影者５のパスワードＰＷを入力する際に操作される。操作部２４には、図示しないシャッターの他に各種押しボタンや、テンキー、キーボード等から構成される。この操作部２４を使用して撮影日情報を入力してもよい。画像ＩＤ番号、パスワードＰＷ及び撮影日情報は、操作データＤ３としてシステムコントローラー２５に出力される。
【００４６】
また、操作部２４は設定手段や選択手段として機能し、例えば、被撮影者５の顔画像のデータ圧縮率を設定するように操作される。また、操作部２４を操作して、被撮影者５の顔部位構成画像（撮影画像）毎に異なる圧縮率を設定するようにされる。このようにすると、高解像度の顔画像よりも低い所望の解像度の顔画像を複数得ることができる。
【００４７】
上述のバッファメモリ１５には圧縮／伸長部１６が接続され、顔画像データＤfaを圧縮して符号化される。また、圧縮／伸長部１６は圧縮済みの顔画像データＤfaを伸長して復号化する。この例で圧縮／伸長部１６は、高解像度の撮影画像の画素数よりも少ない画像数の撮影全体画像を圧縮する。このようにすると、高解像度の顔画像よりも低い所望の解像度の顔画像をより一層小さくファイリングすることができる。圧縮／伸長部１６は、操作部２４によって設定された圧縮率に基づいて顔画像データＤfaを圧縮する。このようにすると、高解像度の顔画像よりも低い所望の解像度の顔画像を得ることができる。
【００４８】
圧縮／伸長部１６には撮像素子１２によって取得された被撮影者５の画像ＩＤ番号＋顔画像データＤfaを一時格納するための内蔵メモリ２３が接続される。内蔵メモリ２３には画像ＩＤ番号＋顔画像データＤfaが解像度に区分して記憶される。内蔵メモリ２３にはＤＲＡＭやハードディスク等が使用される。被撮影者５の画像ＩＤ番号＋顔画像データＤfaは、顔画像サーバー３２に登録するまで内蔵メモリ２３で保持しておくことが好ましい。この例で内蔵メモリ２３には、被撮影者５の特徴部分の高解像度の顔部位構成画像と、当該被撮影者５の特徴部分を含む低解像度の撮影全体画像とが関連付けて記憶される。
【００４９】
上述したシステムコントローラー２５は、例えば、撮像素子１１による撮影画像から被撮影者５の特徴部分の画像を抽出し、ここで抽出された被撮影者５の特徴部分の画像を高解像度で登録し、当該被撮影者５の特徴部分を含む撮影全体画像を高解像度よりも低い低解像度で登録するように内蔵メモリ２３を制御する。
【００５０】
また、システムコントローラー２５は撮像素子１２によって撮像された被撮影者５の顔画像データＤfaと、バーコードリーダー１４で読み取った画像ＩＤ番号を結合処理するように制御する。この他に、システムコントローラー２５は、撮像素子１１や、画像表示部２２、操作部２４、周辺機器インターフェース２７及び、外付けＰＣインターフェース２８等の入出力を制御する。
【００５１】
システムコントローラー２５は、ＲＯＭ（Read Only Memory）５１、ＲＡＭ（Random Access Memory）５２、ＣＰＵ（Central Processing Unit；中央処理ユニット）５３を有している。ＲＯＭ５１には当該撮影装置全体を制御するためのシステムプログラムデータが格納される。ＲＡＭ５２はワークメモリとして使用され、例えば、制御コマンド等を一時記憶するようになされる。ＣＰＵ５３は電源がオンされると、ＲＯＭ５１からシステムプログラムデータを読み出してシステムを起動し、操作部２４からの操作データＤ３に基づいて当該カメラ全体を制御するようになされる。
【００５２】
上述のバッファメモリ１５には表示制御部２６が接続され、この表示制御部２６には画像表示部２２が接続される。画像表示部２２には液晶ディスプレイや、ＣＲＴ（陰極線管）が使用される。表示制御部２６はバッファメモリ１５から読み出された顔画像データＤfaに基づいて被撮影者５の顔をカラー表示するための表示データＤ２を作成する。例えば、表示制御部２６はＲＯＭテーブルを参照して顔画像データＤfaを表示データＤ２に変換するようになされる。表示制御部２６は画像表示部２２に表示データＤ２を出力して表示制御を実行する。
【００５３】
画像表示部２２はカメラモニタを構成し、表示データＤ２に基づいて被撮影者５の上半身を含む顔画像を表示するようになされる。例えば、画像表示部２２は画像処理部１３によって切出された被撮影者５の特徴部分である目、耳、鼻又は／及び口に係る顔部位構成画像を表示する。この画像表示部２２に表示された被撮影者５の特徴部分である目、耳、鼻又は／及び口に係る顔部位構成画像は、上述した操作部２４を操作して選択可能となされている。
【００５４】
上述した顔画像サーバー３２に登録するための顔画像は、被撮影者５に確認してもらうようになされる。目つぶり等のない顔画像を登録するためである。この例で画像表示部２２は、被撮影者の特徴部分を含む撮影全体画像を高解像度よりも低い低解像度で表示する。つまり、画像表示部２２に表示される顔全体縮小画像（撮影全体画像）の表示部分の画像数は、高解像度の顔部位構成画像の画素数よりも少なくなされる。
【００５５】
周辺機器インターフェース２７は、図示しない外付けモニタ、非接触式又は接触式のカードに係るカードリーダーや、カードリード／ライター、キーボード、指紋検知装置、印刷装置等が接続可能となされている。外付けＰＣインターフェース２８は図１に示したパソコン８０に接続可能となされ、当該パソコン８０からのデータＤinを入力したり、顔画像登録管理業者の顔画像サーバー３２へ画像ＩＤ番号＋顔画像データＤfaをアップロードする場合に使用される。
【００５６】
図４は被撮影者５の顔部位構成画像Ｇ１〜Ｇ６の切出し例を示す図である。図４に示す被撮影者５の顔全体縮小画像Ｇ０は、例えば、２００×２００画素程度の低解像度により取り扱われる。これが被撮影者５の顔を区別できる最低のレベルである。顔全体縮小画像Ｇ０は、Ｗｅｂページ画面上で２００×２００画素において、７０ｍｍ×７０ｍｍの大きさに表示（７２ｄｐｉ程度）され、ユーザにとって見やすい。
【００５７】
この例で、画像処理部１３が画像切出し機能を有することは、前述した通りである。図４に示す顔部位構成画像Ｇ１〜Ｇ６の切出し例によれば、被撮影者５の特徴部分を示す左右の目や耳、中央の鼻や口の部位が抽出される。具体的には、図３に示した画像処理部１３が画像切出し機能に基づいて、目、耳、鼻及び口に係る顔部位構成画像Ｇ１〜Ｇ６を切出すようになされる。この切出し処理には、特開平９−２５１５３４号公報に開示されている画像処理技術が応用できる。
【００５８】
図４に示す被撮影者５の顔全体縮小画像Ｇ０が得られると、画像処理部１３ではこれをメモリに展開し、被撮影者５に向かって左側の「目」の部分にウインドウが設定され、この部位に係る顔部位構成画像Ｇ１が抽出される。同様にして、右側の「目」の部分にウインドウが設定され、この部位に係る顔部位構成画像Ｇ２が抽出される。
【００５９】
更に、左側の「耳」の部分にウインドウが設定され、この部位に係る顔部位構成画像Ｇ３が抽出される。右側の「耳」の部分にウインドウが設定され、この部位に係る顔部位構成画像Ｇ４が抽出される。また、被撮影者５の「鼻」の部分にウインドウが設定され、この部位に係る顔部位構成画像Ｇ５が抽出される。更に、「口」の部分にウインドウが設定され、この部位に係る顔部位構成画像Ｇ６が抽出される。
【００６０】
図５Ａ〜Ｄは被撮影者５の顔部位構成画像Ｇ１〜Ｇ６の拡大例を示す図である。図５Ａに示す顔部位構成画像Ｇ１〜Ｇ６の拡大例によれば、被撮影者５の「左目」に係る顔部位構成画像Ｇ１は、一辺が１００画素以上となるように切り出し、この顔部位構成画像Ｇ１を拡大するようになされる。図示しないが、被撮影者５の「右目」に係る顔部位構成画像Ｇ２も同様な画素数を切り出し、その顔部位構成画像Ｇ２を拡大するようになされる。
【００６１】
被撮影者５の「鼻」に係る顔部位構成画像Ｇ６は、一辺が１００画素以上となるように切り出し、それを拡大するようになされる。「口」に係る顔部位構成画像Ｇ６は、長手方向が１００画素以上で短手方向はその半分画素以上となるように切り出し、これが拡大される。なお、被撮影者５の左右の「耳」に係る顔部位構成画像Ｇ３，Ｇ４は、適当な画像数で切り出し、これを拡大すればよい。
【００６２】
これらの顔部位構成画像Ｇ１〜Ｇ６は、１０００画素×１０００画素以上の高解像度であることが望ましい。これは顔画像データＤfaを使用して受験カード９０等を作成する際に高品位の印刷物が得られるからである。例えば、６００ｄｐｉの印刷において、顔画像の大きさは、４２ｍｍ×４２ｍｍ程度となり、通常の証明写真の大きさより、やや大きい程度になるため、ほとんどの顔画像の用途に充分対処できるようになる。
【００６３】
この例で、高解像度の顔部位構成画像Ｇ１〜Ｇ６（以下元画像ともいう）は、顔画像サーバー３２等で一元管理保存することが好ましく、カード作成システム６では顔画像ファイルをダウンロードしないで、受験カード９０等の作成時にその都度必要な顔画像データＤfaを転送を受け、作成後は、これらの顔画像データＤfaを消去することが望まれる。これは印刷レベルを保持しつつ、パスワードＰＷの盗難や、顔画像データＤfaの流出等の防止を図りながら、本人認証に充分な顔画像データＤfaを提供できるようにしたためである。なお、印刷物から複製した偽造カードは画質が落ちることはいうまでもない。被撮影者５の特徴部分は、拡大した顔部位構成画像Ｇ１〜Ｇ６から容易に判別できるようになる。
【００６４】
図６及び７は、被撮影者５の顔画像に係る第１及び第２の保護例を示す図である。この例で図３に示した画像処理部１３では、高解像度の顔部位構成画像Ｇ１、Ｇ２、Ｇ５及びＧ６を集めて顔画像データＤfaを保護するようになされる。
【００６５】
図６に示す顔画像データＤfaの第１の保護例によれば、顔画像データＤfaのセキュリティを高めるために、図５に示した左右の「目」、及び中央の「鼻」、「口」の各々の顔部位構成画像Ｇ１、Ｇ２、Ｇ５及びＧ６が組み合わされる。解像度は２００画像×２００画素以上となされる。これにより、顔部位構成画像Ｇ１、Ｇ２、Ｇ５及びＧ６を組合せた高解像度の１枚のセキュリティ顔画像が作成される。
【００６６】
図７に示す顔画像データＤfaの第２の保護例によれば、図５に示した左右の「目」、及び中央の「鼻」、「口」の各々の顔部位構成画像Ｇ１、Ｇ２、Ｇ５及びＧ６に加えて顔全体縮小画像Ｇ０が組み合わされる。顔全体縮小画像Ｇ０は低解像度であり、顔部位構成画像Ｇ１、Ｇ２、Ｇ５及びＧ６は高解像度である。このように、１枚の顔画像の中で、低解像度の顔全体縮小画像Ｇ０と、高解像度の顔部位構成画像Ｇ１、Ｇ２、Ｇ５及びＧ６とを組合せた１枚のセキュリティ顔画像が作成される。
【００６７】
もちろん、これに限られることはなく、画像処理部１３で、高解像度の顔部位構成画像Ｇ１、Ｇ２、Ｇ５及びＧ６よりも低い解像度の顔部位構成画像を集めて１枚の全体顔画像Ｇ０を再構成するようにしてもよい。このようにすると、高解像度の顔部位構成画像Ｇ１、Ｇ２、Ｇ５及びＧ６を使用せずに、これよりも、低い解像度の顔部位構成画像から１枚の全体顔画像Ｇ０を再現できるようになる。
【００６８】
続いて、本発明に係る撮影画像登録方法及びその後の処理例について、撮影時の顔画像の確認例、顔画像データＤfaのアップロード時の処理例、被撮影者５における個人情報Ｄ１の入力例、及び、本人確認時の処理例の４つに分けて説明をする。
【００６９】
［撮影時の顔画像の確認例］
図８は被撮影者５に係る撮影時の顔画像の確認例を示す構成図である。図８に示す顔画像の確認例によれば、顔画像撮影システム２０のカメラ２１には外付けモニタ２９が接続され、被撮影者５の顔画像の特徴部分に係る映像（以下特徴画像Ｇ７という）が表示される。モニタ２９には、例えば、３０万画素程度以下の解像度のものが使用される。
【００７０】
特徴画像Ｇ７は被撮影者５の左右の目を中心としたその周辺部位を含む拡大映像である。これは被撮影者５の顔画像を部分拡大した画素で本人確認（判別）を容易するためである。外付けモニタ２９は例えば、撮影室内で被撮影者５の見える部分配置される。被撮影者５に自分の顔画像を確認してもらうためである。この確認により、顔画像サーバー３２に登録する顔画像として相応しい静止画映像を決定することができる。
【００７１】
外付けモニタ２９は撮影者には見えない位置に配置することが望ましい。これは、被撮影者５の顔画像と共に、被撮影者５のパスワードＰＷ等を同一画面上に表示するような運用方法を採用した場合に、撮影者からパスワードＰＷ等が見えないようにするためである。このようにすると、被撮影者５のパスワードＰＷの流出を防止できるようになる。
【００７２】
カメラ２１には図８に示すようにモニタ（画像表示部）２２が設けられる。画像表示部２２にも、３０万画素程度以下の解像度のものが使用される。画像表示部２２には、被撮影者５の特徴画像Ｇ７の他に、拡大用のキーＫ１及び縮小用のキーＫ２、「良好」キーＫ３が表示される。いずれのキーＫ１〜Ｋ３をタッチパネル方式により構成する。もちろん、これに限られることはなく、画像表示部２２の周辺にハードキー方式によりキーＫ１〜Ｋ３を構成してもよい。
【００７３】
拡大用のキーＫ１は、画像表示部２２の画面上で被撮影者５の特徴画像Ｇ７を拡大する際に使用される。縮小用のキーＫ２は、同様にして、被撮影者５の特徴画像Ｇ７を縮小する際に使用される。「良好」キーＫ３は被撮影者５の特徴画像Ｇ７の良否を確認する際に使用される。撮影者は例えば、顔画像をチェックし、被撮影者５から「ＯＫ」が出た時点で「良好」キーＫ３を押下するようになされる。「良好」キーＫ３を押下すると、画像ＩＤ番号が関連付けられた顔画像データＤfaが内蔵メモリ２３に記憶される。なお、画像ＩＤ番号＋顔画像データＤfaはカメラ２１の内蔵メモリ２３に格納するようにし、内蔵メモリ２３が取り出せない構造とすることが望ましい。これは顔画像データＤfaの流出を防止するためである。
【００７４】
続いて、本発明に係る撮影画像登録方法について、被撮影者５に係る撮影時の顔画像の確認例及びカメラ２１の動作例について説明をする。図９Ａは撮影者による操作例、図９Ｂはカメラ２１の動作例を各々示すフローチャートである。
この例で、顔画像撮影システム２０が写真店における団体撮影システム、あるいは、学校出張における団体撮影システム等である場合、当該写真店又は出張撮影システム等にはデジタルのカメラ２１が備えられ、被撮影者５はカメラ２１の前にセットされた椅子に着席し、撮影者の指示に従って、顔写真を撮影するようになされる。
【００７５】
カメラ２１は、被撮影者５の顔画像を登録する場合を前提にして、被撮影者５を撮影して顔画像を取得し、ここで取得された顔画像から被撮影者５の特徴部分の画像を抽出し、ここで抽出された被撮影者５の特徴部分の画像を高解像度で登録し、被撮影者の特徴部分を含む撮影全体画像を特徴画像Ｇ７の解像度よりも低い解像度で登録するようになされる。なお、被撮影者５は撮影者に撮影受付カード１０を提示する。撮影受付カード１０は予め被撮影者５に配布される。この撮影受付カード１０には、撮影前に画像ＩＤ番号をバーコードにして印刷されている。
【００７６】
これらを撮影条件にして、撮影者は被撮影者５から撮影受付カード１０を受け取り、図９Ａに示すフローチャートのステップＡ１で撮影者はバーコードリーダー１４を操作して、被撮影者５の撮影受付カード１０からバーコードを読み取るようになされる。この操作によって、バーコードリーダー１４からカメラ２１のシステムコントローラー２５にはコード読取信号Ｓｂが出力される。
【００７７】
システムコントローラー２５は、図９Ｂに示すフローチャートのステップＢ１でバーコードリーダー１４から出力されるコード読取信号Ｓｂを復号化して画像ＩＤ番号を検出（取得）する。システムコントローラー２５は、ステップＢ２で画像ＩＤ番号をトリガにして被撮影者５の撮影を開始する。このとき、図３に示したカメラ２１のレンズ１１は被撮影者５の顔映像を撮像素子１２上に結像する。撮像素子１２はレンズ１１によって結像された被撮影者５の顔映像を撮像し、アナログの顔撮像信号Ｓinを画像処理部１３に出力する。撮影処理は団体撮影人数分だけ繰り返すようになされる。
【００７８】
そして、画像処理部１３は、ステップＢ３で顔撮像信号Ｓinをアナログ・デジタル変換して顔画像データＤfaを得る。このとき、システムコントローラー２５は撮像素子１２によって撮像された被撮影者５の顔画像データＤfaと、バーコードリーダー１４で読み取った画像ＩＤ番号を結合処理するように画像処理部１３等を制御する。画像処理部１３はこの制御を受けてステップＢ４で被撮影者５の顔画像データＤfaと、システムコントローラー２５からの画像ＩＤ番号とを関連付けて結合処理するようになされる。この結合処理後の顔画像データＤfa＋画像ＩＤ番号はステップＢ５でバッファメモリ１５に一時記憶される。
【００７９】
また、表示制御部２６はステップＢ６でバッファメモリ１５から読み出された顔画像データＤfaに基づいて被撮影者５の顔をカラー表示するための表示データＤ２を作成する。表示制御部２６は画像表示部２２に表示データＤ２を出力して表示制御を実行する。
【００８０】
その後、撮影者はステップＡ２で被撮影者５の顔画像を確認すべく、カメラ２１の画像表示部２２を目視する（覗く）。このとき、画像表示部２２にはステップＢ７で表示データＤ２に基づいて被撮影者５の上半身を含む顔画像が表示される。上述した顔画像サーバー３２に登録するための顔画像は、被撮影者５にも確認してもらう。この例では、図８に示した外付けモニタ２９には特徴画像（顔画像の特徴部分に係る映像）Ｇ７が表示される。目つぶり等のない顔画像を顔画像サーバー３２に登録するためである。
【００８１】
この例で画像表示部２２は、被撮影者の特徴部分を含む撮影全体画像を特徴画像Ｇ７の解像度よりも低い解像度で表示する。つまり、画像表示部２２に表示される顔全体縮小画像（撮影全体画像）の表示部分の画像数は、高解像度の顔部位構成画像Ｇ１〜Ｇ６の画素数よりも少なくなされる。また、画像表示部２２に表示された被撮影者５の特徴部分である目、耳、鼻又は／及び口に係る顔部位構成画像Ｇ１〜Ｇ６は、上述した操作部２４を操作して選択可能となされている。
【００８２】
また、撮影者はステップＡ３で操作部２４を操作して、被撮影者５の顔全体画像を縮小するようにデータ圧縮率を選択し、顔部位構成画像Ｇ１〜Ｇ６を拡大するようにデータ圧縮率を選択して設定するようになされる。このように、被撮影者５の顔部位構成画像Ｇ１〜Ｇ６（撮影画像）や顔全体画像毎に異なるデータ圧縮率を設定するように操作部２４が操作される。このようにすると、高解像度の顔部位構成画像Ｇ１〜Ｇ６よりも低い解像度の顔全体縮小画像Ｇ０を得ることができる。
【００８３】
この操作部２４の設定によって、システムコントローラ２５は、ステップＢ８で顔全体画像から被撮影者５の特徴部分の顔部位構成画像Ｇ１〜Ｇ６を抽出し、ここで抽出される被撮影者５の特徴部分の顔部位構成画像Ｇ１〜Ｇ６を高解像度で登録し、当該被撮影者５の特徴部分を含む顔全体縮小画像Ｇ０を特徴画像Ｇ７の解像度よりも低い解像度で登録するように内蔵メモリ２３を制御する。
【００８４】
このシステムコントローラ２５の制御及び、操作部２４からの圧縮率の設定によって、画像処理部１３は顔画像から特徴部分を抽出すべく、ステップＢ９で被撮影者５の特徴部分である目、耳、鼻又は／及び口に係る顔部位構成画像Ｇ１〜Ｇ６を切り出し、これらの顔部位構成画像Ｇ１〜Ｇ６を拡大するようになされる。
【００８５】
このとき、画像処理部１３は被撮影者５の顔全体画像を縮小する。例えば、圧縮／伸長部１６は、予め操作部２４によって設定された圧縮率に基づいて顔画像データＤfaを圧縮して符号化する。つまり、圧縮／伸長部１６は、高解像度の顔部位構成画像Ｇ１〜Ｇ６の画素数よりも少ない画像数で顔全体縮小画像Ｇ０を圧縮する。このようにすると、高解像度の顔部位構成画像Ｇ１〜Ｇ６よりも低い所望の解像度の顔全体画像を得ることができる。これにより、高解像度の顔部位構成画像Ｇ１〜Ｇ６よりも低い解像度の顔全体縮小画像Ｇ０をより一層小さくファイリングすることができる。
【００８６】
この画像処理を受けて、図９Ｂに示すステップＢ１０で画像表示部２２は画像処理部１３によって切出された被撮影者５の特徴部分である目、耳、鼻又は／及び口に係る顔部位構成画像Ｇ１、Ｇ２、Ｇ５、Ｇ６を表示する。一方、撮影者はステップＡ４でモニタ１３に表示された顔全体縮小画像Ｇ０に関連付けられた顔部位構成画像Ｇ１、Ｇ２、Ｇ５、Ｇ６を確認するようになされる。
【００８７】
その後、撮影者は図９Ａに示すステップＡ５で被撮影者５の顔画像が顔画像サーバー３２に登録最適（良好）か否かを判断する。このとき、撮影者は被撮影者５の確認を得て、顔画像が「良好」であると判断した場合は、ステップＡ７に移行して操作部２４を通じてシステムコントローラー２５に「ＯＫ」の指示を通知する。「ＯＫ」の指示は、モニタ２３に表示された「良好」キーＫ３をマウスクリック等することで通知される。「良好」キーＫ３の押下によって、例えば、顔画像データＤfa＋画像ＩＤ番号には「良好」フラグＦＧを付加するようになされる。その後、ステップＡ１に戻って上述した処理を繰り返すようになされる。
【００８８】
この通知を受けて、システムコントローラー２５は、図９Ｂに示すステップＢ１１で当該被撮影者５の特徴部分を含む顔全体縮小画像と顔部位構成画像Ｇ１〜Ｇ６と関連付けて内蔵メモリ２３に保存する。この内蔵メモリ２３には圧縮／伸長部１６によって圧縮された、画像ＩＤ番号＋顔画像データＤfaが、高解像度の顔部位構成画像Ｇ１〜Ｇ６と、低解像度の顔全体画像とに区分して記憶される。被撮影者５の画像ＩＤ番号＋顔画像データＤfaは、顔画像サーバー３２にアップロード（登録）するまで内蔵メモリ２３で保持される。その後、ステップＢ１に戻って上述した処理を繰り返すようになされる。内蔵メモリ２３に保持された被撮影者５の画像ＩＤ番号＋顔画像データＤfaの顔画像サーバー３２へのアップロードについては、図１１で説明をする。
【００８９】
なお、撮影者が顔画像に関して顔画像サーバー３２に登録不適（不良）であると判断した場合は、図９Ａに示すステップＡ６に移行して被撮影者５の再撮影するように操作部２４を操作するようになされる。その後、ステップＡ２に戻って上述した処理を繰り返すようになされる。このような構成を採ると、撮影処理を確実かつ良好に実行できることに加えて、被撮影者５の確認処理を経て顔画像データＤfa＋画像ＩＤ番号を間違いなく内蔵メモリ２３に保存することができるので、写真店側が、再度、学校等に出向いて生徒を集める等の無駄な処理を無くすことができる。
【００９０】
［顔画像データのアップロード時の処理例］
図１０は、顔画像データのアップロード時の構成例を示す図である。この例でカメラ２１には図１０に示すパソコン８０が接続され、当該パソコン８０から顔画像登録管理業者の顔画像サーバー３２へ画像ＩＤ番号＋顔画像データＤfaをアップロードする場合や、光磁気ディスク（ＭＯ）１８を装着して被撮影者５の画像ＩＤ番号及び顔画像データＤfaを記録し、このＭＯ１８を画像情報登録装置３０の設置場所に搬送するようになされる。パソコン８０は図３に示したカメラ２１の外付けＰＣインターフェース２８に接続される。
【００９１】
この例で、顔画像撮影システム２０にはカメラ２１の他にパソコン８０が備えられ、被撮影者５の顔特徴部分となる高解像度の顔部位構成画像Ｇ１〜Ｇ６を暗号化するようになされる。顔部位構成画像Ｇ１〜Ｇ６の暗号化は、周知の技術によって行われる。パソコン８０は上述のカメラ２１に接続されると共に通信手段２に接続される。この例でパソコン８０により暗号化された被撮影者５の特徴部分の高解像度の顔部位構成画像Ｇ１〜Ｇ６と、当該被撮影者５の特徴部分を含む低解像度の顔全体縮小画像とは関連付けられ、通信手段２を通じて画像情報登録装置３０へ送信される。
【００９２】
パソコン８０には、通信手段２を通じて図１に示したような画像情報登録装置３０が接続され、顔画像撮影システム２０で情報結合処理した被撮影者５の画像ＩＤ番号及び顔画像データＤfaを通信手段２を通じて画像情報登録装置３０に登録するようになされる。通信手段２にはインターネットや公衆電話回線が使用される。
【００９３】
パソコン８０にはモニタ８３が設けられ、このモニタ８３には顔画像アップロード画面Ｐ１を表示するようになされる。顔画像アップロード画面Ｐ１には被撮影者５の特徴画像（顔画像の特徴部分に係る映像）Ｇ７が表示される。モニタ８３には、例えば、３０万画素程度以下の解像度のものが使用される。特徴画像Ｇ７は被撮影者５の左右の目を中心としたその周辺部位を含む拡大映像である。これは被撮影者５の顔画像を部分拡大した画素で本人確認（判別）を容易するためである。
【００９４】
顔画像アップロード画面Ｐ１には、被撮影者５の顔全体縮小画像Ｇ０及び特徴画像Ｇ７の他に、アップ用のキーＫ４、ダウン用のキーＫ５、送信キーＫ６、キャンセルキーＫ７及び画像検索キーＫ８が表示される。アップ及びダウン用のキーＫ４、Ｋ５、送信キーＫ６、キャンセルキーＫ７及び画像検索キーＫ８は、マウス８１又はキーボード８２でクリックするように操作される。
【００９５】
アップ用のキーＫ４は、顔画像アップロード画面Ｐ１上で被撮影者５の特徴画像Ｇ７を上方向に画面切換え表示する際にマウス操作される。ダウン用のキーＫ５は、同様にして、被撮影者５の特徴画像Ｇ７を下方向に画面切換え表示する際にマウス操作される。なお、特徴画像Ｇ７の拡大縮小用の機能及び操作ボタンを別に設置してもよい。送信キーＫ６は顔画像データＤfaを顔画像登録管理業者の顔画像サーバー３２へ送信する際に例えば、マウス８１によってクリックされる。
【００９６】
この例で、顔画像データＤfaを送信完了した際には、元画像を削除することが望ましい。顔画像データＤfaの流出を防止するためである。キャンセルキーＫ７は顔画像データＤfaの送信をキャンセルする際に、マウス８１によってクリックされる。画像検索キーＫ８は次画像を検索する際にマウスによってクリックされる。
【００９７】
また、パソコン８０には、図示しないＣＤ−ＲＯＭドライバや、ＤＶＤドライバ等が含まれる。これらのドライバにＭＯ１８を装着して被撮影者５の画像ＩＤ番号及び顔画像データＤfaを記録するようになされる。顔画像データＤfa等は暗号化してＭＯ１８に書き込み、その後、顔画像データＤfa等の元画像は削除することが望ましい。顔画像データＤfaの流出を防止するためである。ＭＯ１８は画像情報登録装置３０の設置場所に搬送される。顔画像登録管理業者において、ＭＯ１８から被撮影者５の画像ＩＤ番号及び顔画像データＤfaが読み出され、顔画像登録するように処理される。
【００９８】
図１１は、顔画像データＤfaのアップロード時の処理例を示すフローチャートである。この例では、図１０に示すパソコン８０を使用し、顔画像アップロード画面Ｐ１上で、顔画像登録管理業者の顔画像サーバー３２へ画像ＩＤ番号＋顔画像データＤfaをアップロードする場合と、ＭＯ１８に被撮影者５の画像ＩＤ番号及び顔画像データＤfaを記録して画像情報登録装置３０の設置場所に搬送する場合について説明をする。この例で、顔画像データＤfaは「良好」フラグＦＧに基づいてアップロードするようになされる。
【００９９】
これらをアップロード（登録）条件にして、図１１に示すフローチャートのステップＣ１で撮影者は、顔画像アップロード画面Ｐ１上で図示しない転送形態選択画ポップアップ画面等で、画像ＩＤ番号＋顔画像データＤfaの転送形態を選択する。この際の選択は、アップロード時の転送制御を分岐するためである。通信手段２を使用して画像ＩＤ番号＋顔画像データＤfaを顔画像登録管理業者の顔画像サーバー３２に送信する場合は、ステップＣ２に移行して、パソコン８０は、「良好」フラグＦＧが付加された画像ＩＤ番号＋顔画像データＤfaを検索する。この「良好」フラグＦＧが付加された画像ＩＤ番号＋顔画像データＤfaは、内蔵メモリ２３を検索することで得られる。
【０１００】
そして、ステップＣ３に移行して、モニタ８３には３０万画素程度以下の解像度によって、被撮影者５の顔全体縮小画像Ｇ０が表示される。更に、ステップＣ４で顔全体縮小画像Ｇ０に関連付けられた顔部位構成画像Ｇ１、Ｇ２、Ｇ５、Ｇ６を表示する。このとき、モニタ８３には３０万画素程度以下の解像度によって、被撮影者５の左右の目を中心としたその周辺部位を含む拡大映像である特徴画像Ｇ７が表示される。特徴画像Ｇ７によって、被撮影者５の顔画像を部分拡大した画素で本人確認（判別）が容易になされる。
【０１０１】
その後、ステップＣ５で撮影者は被撮影者５の画像ＩＤ番号＋顔画像データＤfaを顔画像サーバー３２へアップロードするか否かを判断する。撮影が良好でアップロード「ＯＫ」であると判断した場合は、ステップＣ６に移行して撮影者は送信キーＫ６をマウス８１によってクリックする。このマウスクリックによって、内蔵メモリ２３に保持された被撮影者５の画像ＩＤ番号＋顔画像データＤfaが顔画像登録管理業者の顔画像サーバー３２へ転送される。その後、ステップＣ７に移行して転送完了処理を実行する。例えば、転送完了フラグを画像ＩＤ番号に付加して保存する。なお、顔画像データＤfaを転送完了した際には、元画像が削除される。顔画像データＤfaの流出を防止するためである。その後、ステップＣ１に戻る。
【０１０２】
また、ステップＣ５で撮影が不良でアップロード「ＮＧ」であると判断した場合は、当該被撮影者５の画像ＩＤ番号＋顔画像データＤfaは顔画像サーバー３２へ転送せずに、ステップＣ８に移行して次の顔画像を検索する。このとき、マウス８１によって画像検索キーＫ８がクリックされ、次画像を検索するようになされる。その後、ステップＣ１に戻る。
【０１０３】
また、ステップＣ１でＭＯ１８を使用して画像ＩＤ番号＋顔画像データＤfaを顔画像登録管理業者へ搬送する場合は、ステップＣ９に移行して、パソコン８０のＤＶＤドライバ等にＭＯ１８を装着する。そして、ステップＣ１０で被撮影者５の画像ＩＤ番号及び顔画像データＤfaを記録するようになされる。顔画像データＤfa等は暗号化してＭＯ１８に書き込まれる。
【０１０４】
その後、ステップＣ１１に移行して顔画像データＤfa等の元画像は削除する。顔画像データＤfaの流出を防止するためである。そして、ＭＯ１８はステップＣ１２でパソコン８０から取り外された後に、画像情報登録装置３０の設置場所に搬送される。例えば、ＭＯ１８はバイク便、宅配便等により陸路、海路、又は空路を搬送され、顔画像登録管理業者に至る。顔画像登録管理業者において、ＭＯ１８から被撮影者５の画像ＩＤ番号及び顔画像データＤfaが読み出され、顔画像登録するように処理される。その後、ステップＣ１に戻り、上述した処理が繰り返される。
【０１０５】
このようにすると、パソコン８０を使用して、顔画像登録管理業者の顔画像サーバー３２へ画像ＩＤ番号＋顔画像データＤfaをアップロードしたり、ＭＯ１８に被撮影者５の画像ＩＤ番号及び顔画像データＤfaを記録して画像情報登録装置３０の設置場所に搬送することができる。しかも、良好な画像ＩＤ番号＋顔画像データＤfaのみを転送できるので無駄が生じない。
【０１０６】
［被撮影者における個人情報の入力例］
図１２は被撮影者５における個人情報の入力例を示す構成図である。この例では、被撮影者側には通信機能付きパソコン４０が準備される。パソコン４０は、顔画像データＤfaを顔画像登録管理業者に登録した後、個人情報入力画面Ｐ２で、例えば、ネットワーク試験業者のサーバー１へ個人情報Ｄ１を送信するように操作される。
【０１０７】
図１２に示すパソコン４０は通信手段２を通じて図示しないネットワーク試験業者等のサーバー１等に接続可能となされる。通信手段２にはインターネットや公衆電話回線が使用される。受験者（被撮影者）５’は、例えば、自分のパソコン４０で、ネットワーク試験業者等のサーバー１をアクセスし、マウス４１やキーボード４２を使用して画像ＩＤ番号及びパスワードＰＷを入力する。
【０１０８】
パソコン４０にはモニタ４３が設けられる。上述の画像ＩＤ番号及びパスワードＰＷを入力することによってモニタ４３には、個人情報入力画面Ｐ２が表示される。この個人情報入力画面Ｐ２には、「０１２０  ２５３８  ２５５４  ２５６７」の画像ＩＤ番号や、「＊＊＊＊＊」等のパスワードＰＷが表示される。このパスワード表示領域の下方には、３０万画素以下の解像度で被撮影者５の顔全体縮小画像Ｇ０及び特徴画像Ｇ７が表示される。特徴画像Ｇ７は被撮影者５の左右の目を中心としたその周辺部位を含む拡大映像である。これは被撮影者５の顔画像を部分拡大した画素で本人確認（判別）を容易するためである。
【０１０９】
この個人情報入力画面Ｐ２には被撮影者５の顔全体縮小画像Ｇ０及び特徴画像Ｇ７の他に、アップ用のキーＫ４、ダウン用のキーＫ５が表示される。このアップ及びダウン用のキーＫ４、Ｋ５の表示領域の下方には、個人情報Ｄ１の入力するための３つの記述領域Ｗ１〜Ｗ３が表示される。記述領域Ｗ１は受験者５’等の名前を入力する表示領域である。受験者５’等の名前は、キーボード４２を使用して入力するようになされる。
【０１１０】
また、記述領域Ｗ２は受験者５’等の住所を入力する表示領域である。受験者５’等の住所は、キーボード４２を使用して入力するようになされる。記述領域Ｗ３は受験者５’等の生年月日を入力する表示領域である。受験者５’等の生年月日は、キーボード４２を使用して入力するようになされる。
【０１１１】
この記述領域Ｗ３の下方には、送信キーＫ６、キャンセルキーＫ７が表示される。アップ及びダウン用のキーＫ４、Ｋ５、送信キーＫ６及びキャンセルキーＫ７は、マウス４１又はキーボード４２でクリックするように操作される。アップ用のキーＫ４は、モニタ４３の画面上で被撮影者５の特徴画像Ｇ７を上方向に画面切換え表示する際にマウス操作される。ダウン用のキーＫ５は、同様にして、被撮影者５の特徴画像Ｇ７を下方向に画面切換え表示する際にマウス操作される。なお、特徴画像Ｇ７の拡大縮小用の機能及び操作ボタンを別に設置してもよい。送信キーＫ６は個人情報Ｄ１をネットワーク試験業者等のサーバー１へ送信する際に例えば、マウス４１によってクリックされる。
【０１１２】
この例で、個人情報Ｄ１を送信完了した際には、元データを削除することが望ましい。個人情報Ｄ１の流出を防止するためである。キャンセルキーＫ７は個人情報Ｄ１の送信をキャンセルする際に、マウス４１によってクリックされる。例えば、顔画像が先に登録したものと異なる（自分ではない）場合には、個人情報Ｄ１を入力せずに、キャンセルキーＫ７を押下する。なお、個人情報Ｄ１の転送完了には、パソコン４０のモニタ４３に図示しない入力情報確認画面を表示するようになされる。
【０１１３】
図１３は被撮影者５における個人情報の入力例を示すフローチャートである。この例では、被撮影者（受験者５’）側には通信機能付きパソコン４０が準備され、顔画像データＤfaを顔画像登録管理業者に登録した後、個人情報入力画面Ｐ２で、ネットワーク試験業者等の会員制業者のサーバー１へ個人情報Ｄ１を送信する場合を例に挙げる。また、個人情報Ｄ１の転送完了には、パソコン４０のモニタ４３に入力情報確認画面を表示するようになされる。
【０１１４】
これらを個人情報Ｄ１の入力条件にして、図１３に示すフローチャートのステップＥ１で受験者（被撮影者）５’は、例えば、自分のパソコン４０からネットワーク試験業者等の会員制業者のＷｅｂサイトへアクセスする。このとき、ネットワーク試験業者のサーバー１には、インターネットや公衆電話回線等の通信手段２を通じて接続される。
【０１１５】
そして、ネットワーク試験業者等のサーバー１を接続した後、ステップＥ２でマウス４１やキーボード４２を使用して画像ＩＤ番号及びパスワードＰＷを入力する。このとき、パソコン４０のモニタ画面には、「０１２０  ２５３８  ２５５４  ２５６７」の画像ＩＤ番号や、「＊＊＊＊＊」等のパスワードＰＷが表示される。
【０１１６】
このパスワード表示領域の下方には、ステップＥ３で３０万画素以下の解像度で被撮影者５の顔全体縮小画像Ｇ０を表示するようになされる。そして、ステップＥ４で被撮影者５の特徴画像Ｇ７を表示するようになされる。この特徴画像Ｇ７は被撮影者５の左右の目を中心としたその周辺部位を含む拡大映像である。これは被撮影者５の顔画像を部分拡大した画素で本人確認（判別）を容易するためである。
【０１１７】
この個人情報入力画面Ｐ２には被撮影者５の顔全体縮小画像Ｇ０及び特徴画像Ｇ７の他に、アップ用のキーＫ４、ダウン用のキーＫ５が表示される。このアップ及びダウン用のキーＫ４、Ｋ５の表示領域の下方には、個人情報Ｄ１の入力するための３つの記述領域Ｗ１〜Ｗ３が表示される。
【０１１８】
被撮影者５は、モニタ４３に表示された顔画像の内容を確認し、予め顔画像サーバー３２へアップロードされた顔画像データＤfaを採用するか否かをステップＥ５で判断する。アップロードが良好で当該顔画像は本人であると確認し、この顔画像データＤfaを採用する場合は、ステップＥ６に移行して受験者５’は個人情報Ｄ１を入力する。このとき、キーボード４２を使用して、記述領域Ｗ１には名前が入力され、記述領域Ｗ２には住所が入力され、記述領域Ｗ３には生年月日が入力される。
【０１１９】
その後、ステップＥ７に移行して送信キーＫ６をマウス４１によってクリックする。このマウスクリックによって、パソコン４０からネットワーク試験業者等のサーバー１へ受験者５’の個人情報Ｄ１を転送するようになされる。個人情報Ｄ１が転送完了すると、ステップＥ８に移行してパソコン４０のモニタ４３には図示しない入力情報確認画面を表示し、ステップＥ９で個人情報Ｄ１の入力を確認するようになされる。
【０１２０】
このとき、個人情報Ｄ１の入力確認「ＯＫ」の場合は、ステップＥ１０に移行して元データを削除して入力処理を終了する。元データの削除は個人情報Ｄ１の流出を防止するためである。ステップＥ９で個人情報Ｄ１の入力確認「ＮＧ」の場合は、ステップＥ３の個人情報入力画面Ｐ２に戻って上述した処理を繰り返すようになされる。
【０１２１】
また、上述のステップＥ５で当該顔画像が本人のものではないことを確認し、この顔画像データＤfaを不採用とする場合は、ステップＥ１１に移行してキャンセルキーＫ７を押下する。このキャンセルキーＫ７を押下によって個人情報Ｄ１の入力するための３つの記述領域Ｗ１〜Ｗ３の表示は削除される。また、既に入力してしまった個人情報Ｄ１については、その送信がキャンセルされる。
【０１２２】
このように構成すると、本人が自宅のパソコン４０上で自分の顔画像をモニタ画面で確認し易くなる。顔画像（写真）が気に入らない場合は、再度、顔画像撮影システム２０で顔画像を撮り直せばよい。また、他のＷｅｂサイトに顔画像が登録されていれば、それを選択して利用することもできる。
【０１２３】
なお、ネット試験受験センター等は、会員制業者のサーバー１から顔画像登録管理業者の顔画像サーバー３２へ個人情報Ｄ１を転送し、受験カード９０の作成を発注するようになされる。顔画像登録管理業者では、画像ＩＤ番号に基づいて顔画像サーバー３２から当該受験者５’の顔画像データＤfaを読み出す。顔画像データＤfaは、当該受験者５’の個人情報Ｄ１と結合され、カード作成システム６へデータ転送される。
【０１２４】
カード作成システム６では当該受験者５’の顔画像データＤfaに基づいて顔画像を受験カード９０に形成すると共に、個人情報Ｄ１に基づいて受験カード９０に氏名、住所、生年月日を作成する。その後、受験カード９０が受験者５’に発送される。これにより、受験者５’はネット試験受験システムにおける受験会場に受験カード９０を持参し、ネット試験を受験できるようになる。
【０１２５】
［本人確認時の処理例］
図１４は、ネット試験受験システム１０１における本人確認時の構成例を示す図である。この実施例では、ネット試験受験システム１０１等において、ネット試験受験センターが開催する試験会場には、通信機能付きのパソコン７０が備えられ、このパソコン７０にはカード読取装置６１が接続される。受験者５’は受験カード９０を持参して試験会場へ行く。試験会場の入り口では、受験カード９０を持参して来た者が本人であるか否かを確認するようになされる。
【０１２６】
図１４に示すパソコン７０は、ネット試験受験システム１０１等において、例えば、ネット試験受験センターが開催する試験会場に備えられるものである。このパソコン７０にはカード読取装置６１が接続され、受験者５’が持参した受験カード９０を読み取ってカード読取情報をパソコン７０に出力するようになされる。カード読取装置６１には非接触方式又は接触方式のカードリーダーや、カードリード・ライターが使用される。受験カード９０には、電子式、磁気式又は光学式のＩＤカードが使用され、受験者５’の画像ＩＤ番号や、個人情報Ｄ１、有効期限等が記録される。
【０１２７】
パソコン７０には、マウス７１、キーボード７２の他にモニタ７３が設けられ、所定のアプリケーションを立ち上げると本人確認画面Ｐ３が表示される。上述のカード読取装置６１によって、受験カード９０から画像ＩＤ番号及びパスワードＰＷが読み取られると、本人確認画面Ｐ３には、３０万画素を越える高解像度で被撮影者５の特徴画像Ｇ７が表示される。特徴画像Ｇ７は被撮影者５の左右の目を中心としたその周辺部位を含む拡大映像（顔部位構成画像）である。これは被撮影者５の顔画像を部分拡大した画素で本人確認（判別）を容易するためである。
【０１２８】
この例で、顔部位構成画像Ｇ１〜Ｇ６を取得する方法に関しては、受験カード９０の中に予めエンコードされている特徴画像Ｇ７を読み出して使用する。外部機器のメモリに記述されている特徴画像Ｇ７に係る顔部位構成画像情報を読み出して使用する。あるいは、撮影画像登録管理業者からパソコン７０へネットワーク等の通信手段２を経由して顔部位構成画像情報を入力し、これを試験会場で使用する場合を想定している。このとき、個人情報Ｄ１をモニタ７３に表示してもよい。このモニタ７３に表示された個人情報Ｄ１を参照し、本人確認のための質問等をすることができ、より確実に本人認証を行うことができる。この例では、元画像ファイルをネット試験受験センター等にダウンロードせずに本人確認することができる。
【０１２９】
この特徴画像Ｇ７の表示領域の下方には、アップ用のキーＫ４、ダウン用のキーＫ５が表示される。このアップ及びダウン用のキーＫ４、Ｋ５の表示領域の下方には、画像ＩＤ番号を入力するための記述領域Ｗ０が表示される。記述領域Ｗ０には、例えば、受験カード９０から読み出した画像ＩＤ番号「ＩＤ：０１２３４５６７」が表示される。記述領域Ｗ０の下方には記述領域Ｗ１が設けられ、この記述領域Ｗ１には受験者５’の名前として例えば、「渡邊淳一」が表示される。
【０１３０】
名前表示領域の下方には、記述領域Ｗ３が設けられ、この記述領域Ｗ３には受験者５’の生年月日として例えば、「１９４１．１２．４」が表示される。生年月日表示領域の下方には入室許可発行キーＫ９が表示され、このキーＫ９は本人確認ＯＫとなった場合に押下される。キーＫ９の押下によって得られる情報は当該ネット試験を受験しに来た受験者５’の集計等に利用される。
【０１３１】
図１５はネット試験受験システム１０１における本人確認時の処理例を示すフローチャートである。
この実施例では、ネット試験受験システム１０１において、予め受験者５’には受験カード９０が発行され、この受験カード９０を持参して試験会場へ来るように取り決められる。また、ネット試験受験センターが開催する試験会場に、通信機能付きのパソコン７０を備え、このパソコン７０にカード読取装置６１を接続する。試験会場の入り口で、試験担当者は、受験カード９０を持参して来た者が本人であるか否かを確認するようになされる。
【０１３２】
この例で、顔部位構成画像Ｇ１〜Ｇ６を取得する方法に関しては、受験カード９０の中に予めエンコードされている特徴画像Ｇ７を読み出して使用する場合を想定する。また、パソコン７０は、所定のアプリケーションに基づいて既に立ち上げられ、本人確認画面Ｐ３が表示されている場合を例に挙げる。
【０１３３】
これらを本人確認処理条件にして、試験担当者は、受験者５’から受験カード９０を受け取り、図１５に示すフローチャートのステップＦ１でこの受験カード９０をカード読取装置６１に係合付けてカード情報を読み取るようになされる。カード情報は顔全体縮小画像Ｇ０、特徴画像Ｇ７及び個人情報Ｄ１を含んでいる。カード読取装置６１で読み取られた顔全体縮小画像Ｇ０、特徴画像Ｇ７及び個人情報Ｄ１はパソコン７０へ出力される。本人確認後の受験カード９０は受験者５’に返却される。
【０１３４】
その後、ステップＦ２でパソコン７０は受験カード９０の画像ＩＤ番号に関連付けられた顔全体縮小画像Ｇ０をモニタ７３に表示する。そして、ステップＦ３でパソコン７０は顔全体縮小画像Ｇ０に関連付けられた特徴画像Ｇ７をモニタ７３に表示する。モニタ７３には顔全体縮小画像Ｇ０及び特徴画像Ｇ７の他に、図１４に示したように、記述領域Ｗ０には、画像ＩＤ番号「ＩＤ：０１２３４５６７」が表示され、記述領域Ｗ１には受験者５’の名前として、「渡邊淳一」が表示され、記述領域Ｗ３には受験者５’の生年月日として「１９４１．１２．４」が表示される。
【０１３５】
その後、ステップＦ４で試験担当者は、受験カード９０の持参者が本人であるか否かを確認する。この際の判断は試験担当者である。受験カード９０の持参者が本人の場合は、ステップＦ５で入室許可発行キーＫ９を押下する。このキーＫ９の押下によって、当該ネット試験を受験しに来た受験者５’の出席及び、その出席者数がカウント等される。
【０１３６】
また、キーＫ９の押下によって得られる情報をトリガーにして、ステップＦ６で付帯処理を実行する。例えば、キー押下情報に基づいて試験会場のゲートが開かれる。もちろん、これに限られることはなく、この時点で入門票を発行してもよい。その後、ステップＦ８に移行する。
【０１３７】
なお、ステップＦ４で受験カード９０の持参者が本人ではない場合は、ステップＦ７に移行して入室を拒否する。その後、ステップＦ８に移行して試験担当者は次の受験者５’の受け付け処理を継続する。受験カード持参者の全員チェックで本人確認処理を終了する。受験カード持参者の全員をチェックしていない場合は、ステップＦ１に戻って上述した処理を継続するようになされる。これにより、受験者５’は試験会場に入室することができ、所定のネット試験を受験することができる。
【０１３８】
このように、本発明に係る実施形態としての撮影画像登録システム及び撮影画像登録方法によれば、被撮影者５の顔画像を登録する場合に、システムコントローラー２５は、被撮影者５の顔画像から目、耳、鼻及び口等の顔部位構成画像Ｇ１〜Ｇ６（＝特徴画像Ｇ７）を抽出し、ここで抽出された被撮影者５の特徴画像Ｇ７を高解像度で登録し、当該被撮影者５の特徴部分を含む顔全体縮小画像Ｇ０を上述の解像度よりも低い解像度で登録するように内蔵メモリ２３を制御するものである。
【０１３９】
従って、顔画像利用時に、高解像度の特徴画像Ｇ７と、その解像度よりも低い解像度で登録された被撮影者の特徴部分を含む顔全体縮小画像Ｇ０とを流通経路に置くことができ、高解像度で登録された被撮影者の特徴画像Ｇ７を被撮影者本人確認時の比較対象基準とすることができる。これにより、高解像度のまま被撮影者５の特徴部分を含む顔全体画像を流通経路に置くことがないので、被撮影者５の顔画像のセキュリィテイ性を向上させることができる。
【０１４０】
この実施形態では、顔部位構成画像Ｇ１〜Ｇ６を取得する方法に関しては、受験カード９０の中に予めエンコードされている特徴画像Ｇ７を読み出して使用する場合について説明したが、これに限られることはなく、外部機器のメモリに記述されている特徴画像Ｇ７に係る顔部位構成画像情報を読み出して使用する、あるいは、撮影画像登録管理業者からパソコン７０へネットワーク等の通信手段２を経由して顔部位構成画像情報を入力し、これを試験会場で使用するようにしてもよい。
【産業上の利用可能性】
【０１４１】
この発明は、パスポートや、身分証明書、図書館利用カード、各種学校における学生証等に形成する顔写真を電子データで提供する顔画像撮影サービスシステム等に適用して極めて好適である。
【図面の簡単な説明】
【０１４２】
【図１】本発明に係る実施形態としての撮影画像登録システム１００の構成例を示す概念図である。
【図２】撮影画像登録システムを応用したネット試験受験システム１０１における処理例を示す構成図である。
【図３】カメラ２１の内部構成例を示すブロック図である。
【図４】被撮影者の顔部位構成画像Ｇ１〜Ｇ６の切出し例を示す図である。
【図５】Ａ〜Ｄは、被撮影者の顔部位構成画像Ｇ１〜Ｇ６の拡大例を示す図である。
【図６】被撮影者の顔画像に係る第１の保護例を示す図である。
【図７】被撮影者の顔画像に係る第２の保護例を示す図である。
【図８】被撮影者に係る撮影時の顔画像の確認例を示す構成図である。
【図９】Ａは撮影者による操作例、Ｂはカメラ２１の動作例を各々示すフローチャートである。
【図１０】顔画像データのアップロード時の構成例を示す図である。
【図１１】顔画像データのアップロード時の処理例を示すフローチャートである。
【図１２】被撮影者における個人情報の入力例を示す構成図である。
【図１３】被撮影者における個人情報の入力例を示すフローチャートである。
【図１４】ネット試験受験システム１０１における本人確認時の構成例を示す図である。
【図１５】ネット試験受験システム１０１における本人確認時の処理例を示すフローチャートである。
【符号の説明】
【０１４３】
１  サーバー
２  通信手段
６  カード作成システム
１０  撮影受付カード
１３  画像処理部
１４  バーコードリーダー
１６  圧縮／伸長部
１８  ＭＯ
２０  顔画像撮影システム
２１  カメラ
２２  画像表示部（モニタ）
２３  内蔵メモリ  （記憶手段）
２４  操作部
２５  システムコントローラー（制御手段）
２６  表示制御部
２７  周辺機器インターフェース
２８  外部ＰＣインターフェース
２９  外付けモニタ
３０  画像情報登録装置
３１  情報管理装置
３２  顔画像サーバー（記憶手段）
３３  プリンタ
４０，７０，８０  パーソナルコンピュータ（情報処理装置）
９０  受験カード
１００  撮影画像登録システム
１０１  ネット試験受験システム
【図１】
2005071059.tif 000003
【図２】
2005071059.tif 000004
【図３】
2005071059.tif 000005
【図４】
2005071059.tif 000006
【図５】
2005071059.tif 000007
【図６】
2005071059.tif 000008
【図７】
2005071059.tif 000009
【図８】
2005071059.tif 000010
【図９】
2005071059.tif 000011
【図１０】
2005071059.tif 000012
【図１１】
2005071059.tif 000013
【図１２】
2005071059.tif 000014
【図１３】
2005071059.tif 000015
【図１４】
2005071059.tif 000016
【図１５】
2005071059.tif 000017